(57)【特許請求の範囲】
【請求項１】
カラオケ楽曲を再生する楽曲再生手段を備えたカラオケ装置と、
前記楽曲再生手段における前記カラオケ楽曲の再生と連動して対応する背景映像を表示可能なメインディスプレイと、
前記メインディスプレイとは別に設けられたサブディスプレイと、
端末ディスプレイを備え、前記カラオケ楽曲の再生予約をする予約端末と、
所望の動画を記憶した操作端末と、
を有するカラオケシステムであって、
前記カラオケ装置は、
前記楽曲再生手段による前記カラオケ楽曲の再生中若しくは再生前に、前記操作端末のアドレス情報を受け付けるアドレス受付手段と、
前記アドレス受付手段により前記アドレス情報が受け付けられた場合に、前記メインディスプレイが前記動画を再生可能な状態であるか否かを判定する判定手段と、
前記判定手段により前記再生可能な状態であると判定された場合には、前記操作端末から前記動画を取得しその取得した動画を表示するように前記メインディスプレイを制御するとともに、前記判定手段により前記再生可能な状態ではないと判定された場合には、前記サブディスプレイ又は前記端末ディスプレイが前記動画を取得可能となるように、前記アドレス情報を前記サブディスプレイ又は前記予約端末に通知する、制御手段と、
を有し、
前記サブディスプレイ又は前記端末ディスプレイは、
前記判定手段により前記再生可能な状態ではないと判定された場合に、前記制御手段によって通知された前記アドレス情報を用いて前記操作端末から前記動画を取得し、当該動画の表示を行う
ことを特徴とするカラオケシステム。
【請求項２】
請求項１記載のカラオケシステムにおいて、
前記判定手段は、
前記再生中若しくは再生前である前記カラオケ楽曲が特定の背景分離禁止曲であるかそれ以外の背景分離許容曲であるかを判定し、
前記制御手段は、
前記判定手段により前記背景分離許容曲であると判定された場合には、前記操作端末から前記動画を取得しその取得した動画を表示するように前記メインディスプレイを制御するとともに、前記判定手段により前記背景分離禁止曲であると判定された場合には、前記アドレス情報を前記サブディスプレイ又は前記予約端末に通知し、
前記サブディスプレイ又は前記端末ディスプレイは、
前記判定手段により前記背景分離禁止曲であると判定された場合に、前記制御手段によって通知された前記アドレス情報を用いて前記操作端末から前記動画を取得し、当該動画の表示を行う
ことを特徴とするカラオケシステム。
【請求項３】
請求項２記載のカラオケシステムにおいて、
前記アドレス受付手段は、
前記楽曲再生手段による前記カラオケ楽曲の再生前に、前記操作端末のアドレス情報を受け付け、
前記判定手段は、
再生前である前記カラオケ楽曲が前記背景分離禁止曲であるか前記背景分離許容曲であるかを判定し、
前記サブディスプレイ又は前記予約端末は、
前記判定手段により前記背景分離禁止曲であると判定された場合に、前記操作端末から前記動画を取得した後、その取得した旨を前記カラオケ装置に通知する、通知制御手段
を有する
ことを特徴とするカラオケシステム。
【請求項４】
請求項２又は請求項３記載のカラオケシステムにおいて、
前記カラオケ装置は、
前記判定手段により前記背景分離禁止曲であると判定された場合に、前記サブディスプレイ又は前記端末ディスプレイのいずれにおいて前記動画を再生できるかを特定する特定手段を有する
ことを特徴とするカラオケシステム。
【請求項５】
請求項４記載のカラオケシステムにおいて、
前記カラオケ装置は、
前記特定手段の特定結果に基づく、前記サブディスプレイ若しくは前記端末ディスプレイのいずれを使用するかのユーザの選択を受け付ける選択受付手段を有する
ことを特徴とするカラオケシステム。
【請求項６】
カラオケ楽曲を再生する楽曲再生手段と、
前記楽曲再生手段による前記カラオケ楽曲の再生中若しくは再生前に、所望の動画を記憶した操作端末のアドレス情報を受け付けるアドレス受付手段と、
前記アドレス受付手段により前記アドレス情報が受け付けられた場合に、前記カラオケ楽曲の再生と連動して対応する背景映像を表示可能なメインディスプレイが前記動画を再生可能な状態であるか否かを判定する判定手段と、
前記判定手段により前記再生可能な状態であると判定された場合には、前記操作端末から前記動画を取得しその取得した動画を表示するように前記メインディスプレイを制御するとともに、前記判定手段により前記再生可能な状態ではないと判定された場合には、前記メインディスプレイとは別に設けられたサブディスプレイ又は前記カラオケ楽曲の再生予約をする予約端末に備えられた端末ディスプレイが前記動画を取得可能となるように、前記アドレス情報を前記サブディスプレイ又は前記予約端末に通知する、制御手段と、
を有する
ことを特徴とするカラオケ装置。
【請求項７】
カラオケ楽曲を再生する楽曲再生手段を備えたカラオケ装置と、前記楽曲再生手段における前記カラオケ楽曲の再生と連動して対応する背景映像を表示可能なメインディスプレイと、前記メインディスプレイとは別に設けられたサブディスプレイと、端末ディスプレイを備え、前記カラオケ楽曲の再生予約をする予約端末と、所望の動画を記憶した操作端末と、を有するカラオケシステムが実行する動画表示方法であって、
前記カラオケ装置が、
前記楽曲再生手段による前記カラオケ楽曲の再生中若しくは再生前に、前記操作端末のアドレス情報を受け付けるアドレス受付手順と、
前記アドレス受付手順で前記アドレス情報が受け付けられた場合に、前記メインディスプレイが前記動画を再生可能な状態であるか否かを判定する判定手順と、
前記判定手順で前記再生可能な状態であると判定された場合には、前記操作端末から前記動画を取得しその取得した動画を表示するように前記メインディスプレイを制御するとともに、前記判定手順で前記再生可能な状態ではないと判定された場合には、前記サブディスプレイ又は前記端末ディスプレイが前記動画を取得可能となるように、前記アドレス情報を前記サブディスプレイ又は前記予約端末に通知する、制御手順と、
を実行し、
前記サブディスプレイ又は前記端末ディスプレイは、
前記判定手順で前記再生可能な状態ではないと判定された場合に、前記制御手順で通知された前記アドレス情報を用いて前記操作端末から前記動画を取得し、当該動画の表示を行う
ことを特徴とする動画表示方法。
【請求項８】
カラオケ楽曲を再生する楽曲再生手段を備えたカラオケ装置に対し通信可能に接続され、操作手段と、所望の動画を記憶した記憶手段と、表示手段と、通信手段と、制御手段と、を有する操作端末の前記制御手段に対し、
前記楽曲再生手段における前記カラオケ楽曲の再生中若しくは再生前に、前記操作端末のアドレス情報を前記通信手段を介し前記カラオケ装置に送信するアドレス送信手順と、
前記アドレス送信手順で前記アドレス情報を送信した後、前記カラオケ楽曲の再生と連動して対応する背景映像を表示するメインディスプレイとは別に設けられる、前記動画を表示するためのサブディスプレイ又は予約端末から、動画送信要求を受信する要求受信手順と、
前記要求受信手順で前記動画送信要求を受信した後、前記記憶手段に記憶された前記動画を前記通信手段を介し前記サブディスプレイ又は前記予約端末に送信する動画送信手順と、
前記操作手段の操作に対応して前記カラオケ装置の制御処理を行うための制御指令を、前記通信手段を介し前記カラオケ装置に送信する指令送信手順と、
を実行させるための、動画表示制御プログラム。
【発明の詳細な説明】
【技術分野】
【０００１】
本発明は、ユーザの所有する所望の動画を表示できるカラオケシステム、カラオケ装置、動画表示方法、及び、動画表示制御プログラムに関する。
【背景技術】
【０００２】
カラオケ装置においては、カラオケ楽曲が再生されると、それに連動して、対応する背景映像が適宜のディスプレイに表示される。例えば特許文献１記載の従来技術では、カラオケ動作モードに応じて、表示・非表示の切り替えや、分割表示への切り替えを行う構成が開示されている。
【先行技術文献】
【特許文献】
【０００３】
【特許文献１】特開平１０−２６０６９１号公報
【発明の概要】
【発明が解決しようとする課題】
【０００４】
近年、例えば携帯端末等に記憶されたユーザの所望の動画をカラオケ装置に送信し、上記カラオケ楽曲の再生時に、上記背景映像に代えて、その送信した動画をカラオケ装置に接続されたメインディスプレイに表示させるサービスが考えられつつある。しかしながら、送信しようとするタイミングによっては、たまたまメインディスプレイ側において上記動画を再生不可能な状態である場合がある。そのような場合の例としては、メインディスプレイにおいて各種設定画面を表示中であった場合や、あるいは、ギタナビ・モデル採点ムービー等の背景映像を使用するアプリケーションが実行されていた場合、さらには、再生されるカラオケ楽曲が、背景映像の表示をカラオケ楽曲の再生と分離して行うことができない楽曲（以下適宜、「背景分離禁止曲」と称する）であった場合、等がある。このような場合、そのままでは、せっかくユーザが上記動画をカラオケ装置に送信したとしても、そのままでは当該動画を表示させることができず、不便である。
【０００５】
本発明の目的は、メインディスプレイ側において動画再生不可能な場合であっても、ユーザが所望する動画を確実に表示させて楽しむことができるカラオケシステム、カラオケ装置、動画表示方法、及び、動画表示制御プログラムを提供することにある。
【課題を解決するための手段】
【０００６】
上記目的を達成するために、第１発明は、カラオケ楽曲を再生する楽曲再生手段を備えたカラオケ装置と、前記楽曲再生手段における前記カラオケ楽曲の再生と連動して対応する背景映像を表示可能なメインディスプレイと、前記メインディスプレイとは別に設けられたサブディスプレイと、端末ディスプレイを備え、前記カラオケ楽曲の再生予約をする予約端末と、所望の動画を記憶した操作端末と、を有するカラオケシステムであって、前記カラオケ装置は、前記楽曲再生手段による前記カラオケ楽曲の再生中若しくは再生前に、前記操作端末のアドレス情報を受け付けるアドレス受付手段と、前記アドレス受付手段により前記アドレス情報が受け付けられた場合に、前記メインディスプレイが前記動画を再生可能な状態であるか否かを判定する判定手段と、前記判定手段により前記再生可能な状態であると判定された場合には、前記操作端末から前記動画を取得しその取得した動画を表示するように前記メインディスプレイを制御するとともに、前記判定手段により前記再生可能な状態ではないと判定された場合には、前記サブディスプレイ又は前記端末ディスプレイが前記動画を取得可能となるように、前記アドレス情報を前記サブディスプレイ又は前記予約端末に通知する、制御手段と、を有し、前記サブディスプレイ又は前記端末ディスプレイは、前記判定手段により前記再生可能な状態ではないと判定された場合に、前記制御手段によって通知された前記アドレス情報を用いて前記操作端末から前記動画を取得し、当該動画の表示を行うことを特徴とする。
【０００７】
本願第１発明のカラオケシステムでは、操作端末に予め記憶されたユーザの所望の動画を、カラオケ楽曲の再生中（若しくは再生前）に表示させることができる。すなわち、カラオケ装置の楽曲再生手段のカラオケ楽曲の再生中（若しくは再生前）にユーザが操作端末を用いて操作端末のアドレス情報を送信すると、そのアドレス情報がカラオケ装置のアドレス受付手段で受け付けられた後、カラオケ装置の判定手段によって、メインディスプレイが上記動画を再生可能な状態であるか、若しくは再生可能な状態でない（例えば、メインディスプレイが設定画面を表示中の場合や、カラオケ装置において背景映像を使用するアプリケーションプログラムが実施されている場合や、上記カラオケ楽曲が特定の背景分離禁止曲であった場合等）か、が判定される。
【０００８】
上記再生可能な状態である場合には、カラオケ装置の制御手段が、上記通知されたアドレス情報を用いて操作端末から上記動画を取得するとともに、上記メインディスプレイを制御して上記動画を表示する。
【０００９】
一方、上記再生可能な状態でない場合には、制御手段が、上記メインディスプレイとは別に設けられるサブディスプレイ又は予約端末に対し、上記アドレス情報を通知する。これにより、サブディスプレイ、若しくは、予約端末の端末ディスプレイが、上記通知されたアドレス情報を用いて操作端末から上記動画を取得して表示することができる。
【００１０】
これにより、メインディスプレイが、動画再生可能な状態であっても動画再生可能な状態でなくても、ユーザは、自らが所望する動画を表示させて楽しむことができる。この結果、ユーザにとっての利便性を向上することができる。
【００１１】
特に、上記再生可能な状態でない場合に、サブディスプレイ又は予約端末が上記アドレス情報を用いてアクセスして直接操作端末から動画を取得する。これにより、操作端末からの動画をカラオケ装置がいったん受け取った後にさらにサブディスプレイ又は予約端末に転送する場合に比べ、動画を送受するのに必要な通信時間を短くすることができる。この結果、動画表示において遅延が生じるのを抑制することができる。
【００１２】
第２発明は、上記第１発明において、前記判定手段は、前記再生中若しくは再生前である前記カラオケ楽曲が特定の背景分離禁止曲であるかそれ以外の背景分離許容曲であるかを判定し、前記制御手段は、前記判定手段により前記背景分離許容曲であると判定された場合には、前記操作端末から前記動画を取得しその取得した動画を表示するように前記メインディスプレイを制御するとともに、前記判定手段により前記背景分離禁止曲であると判定された場合には、前記アドレス情報を前記サブディスプレイ又は前記予約端末に通知し、前記サブディスプレイ又は前記端末ディスプレイは、前記判定手段により前記背景分離禁止曲であると判定された場合に、前記制御手段によって通知された前記アドレス情報を用いて前記操作端末から前記動画を取得し、当該動画の表示を行うことを特徴とする。
【００１３】
第３発明は、上記第２発明において、前記アドレス受付手段は、前記楽曲再生手段による前記カラオケ楽曲の再生前に、前記操作端末のアドレス情報を受け付け、前記判定手段は、再生前である前記カラオケ楽曲が前記背景分離禁止曲であるか前記背景分離許容曲であるかを判定し、前記サブディスプレイ又は前記予約端末は、前記判定手段により前記背景分離禁止曲であると判定された場合に、前記操作端末から前記動画を取得した後、その取得した旨を前記カラオケ装置に通知する、通知制御手段を有することを特徴とする。
【００１４】
これにより、カラオケ楽曲の再生前に（言い替えればカラオケ楽曲の予約完了後に）操作端末のアドレス情報が受け付けられ、そのアドレス情報を用いてサブディスプレイ又は予約端末による動画の取得が完了したとき、その旨がカラオケ装置に通知される。この結果、サブディスプレイ又は端末ディスプレイによる動画の再生と連携して、カラオケ装置におけるカラオケ楽曲の再生を開始することができる。
【００１５】
第４発明は、上記第２又は第３発明において、前記カラオケ装置は、前記判定手段により前記背景分離禁止曲であると判定された場合に、前記サブディスプレイ又は前記端末ディスプレイのいずれにおいて前記動画を再生できるかを特定する特定手段を有することを特徴とする。
【００１６】
これにより、上記のようにしてユーザの所望の動画を表示させる際に、サブディスプレイ及び端末ディスプレイのうちどちらのディスプレイが使用できるかを特定することができる。
【００１７】
第５発明は、上記第４発明において、前記カラオケ装置は、前記特定手段の特定結果に基づく、前記サブディスプレイ若しくは前記端末ディスプレイのいずれを使用するかのユーザの選択を受け付ける選択受付手段を有することを特徴とする。
【００１８】
これにより、上記のようにして、どちらのディスプレイを使用するかをユーザが選択することができる。
【００１９】
また、上記目的を達成するために、第６発明は、カラオケ楽曲を再生する楽曲再生手段と、前記楽曲再生手段による前記カラオケ楽曲の再生中若しくは再生前に、所望の動画を記憶した操作端末のアドレス情報を受け付けるアドレス受付手段と、前記アドレス受付手段により前記アドレス情報が受け付けられた場合に、前記カラオケ楽曲の再生と連動して対応する背景映像を表示可能なメインディスプレイが前記動画を再生可能な状態であるか否かを判定する判定手段と、前記判定手段により前記再生可能な状態であると判定された場合には、前記操作端末から前記動画を取得しその取得した動画を表示するように前記メインディスプレイを制御するとともに、前記判定手段により前記再生可能な状態ではないと判定された場合には、前記メインディスプレイとは別に設けられたサブディスプレイ又は前記カラオケ楽曲の再生予約をする予約端末に備えられた端末ディスプレイが前記動画を取得可能となるように、前記アドレス情報を前記サブディスプレイ又は前記予約端末に通知する、制御手段と、を有することを特徴とする。
【００２０】
また、上記目的を達成するために、第７発明は、カラオケ楽曲を再生する楽曲再生手段を備えたカラオケ装置と、前記楽曲再生手段における前記カラオケ楽曲の再生と連動して対応する背景映像を表示可能なメインディスプレイと、前記メインディスプレイとは別に設けられたサブディスプレイと、端末ディスプレイを備え、前記カラオケ楽曲の再生予約をする予約端末と、所望の動画を記憶した操作端末と、を有するカラオケシステムが実行する動画表示方法であって、前記カラオケ装置が、前記楽曲再生手段による前記カラオケ楽曲の再生中若しくは再生前に、前記操作端末のアドレス情報を受け付けるアドレス受付手順と、前記アドレス受付手順で前記アドレス情報が受け付けられた場合に、前記メインディスプレイが前記動画を再生可能な状態であるか否かを判定する判定手順と、前記判定手順で前記再生可能な状態であると判定された場合には、前記操作端末から前記動画を取得しその取得した動画を表示するように前記メインディスプレイを制御するとともに、前記判定手順で前記再生可能な状態ではないと判定された場合には、前記サブディスプレイ又は前記端末ディスプレイが前記動画を取得可能となるように、前記アドレス情報を前記サブディスプレイ又は前記予約端末に通知する、制御手順と、を実行し、前記サブディスプレイ又は前記端末ディスプレイは、前記判定手順で前記再生可能な状態ではないと判定された場合に、前記制御手順で通知された前記アドレス情報を用いて前記操作端末から前記動画を取得し、当該動画の表示を行うことを特徴とする。
【００２１】
また、上記目的を達成するために、第８発明は、カラオケ楽曲を再生する楽曲再生手段を備えたカラオケ装置に対し通信可能に接続され、操作手段と、所望の動画を記憶した記憶手段と、表示手段と、通信手段と、制御手段と、を有する操作端末の前記制御手段に対し、前記楽曲再生手段における前記カラオケ楽曲の再生中若しくは再生前に、前記操作端末のアドレス情報を前記通信手段を介し前記カラオケ装置に送信するアドレス送信手順と、前記アドレス送信手順で前記アドレス情報を送信した後、前記カラオケ楽曲の再生と連動して対応する背景映像を表示するメインディスプレイとは別に設けられる、前記動画を表示するためのサブディスプレイ又は予約端末から、動画送信要求を受信する要求受信手順と、前記要求受信手順で前記動画送信要求を受信した後、前記記憶手段に記憶された前記動画を前記通信手段を介し前記サブディスプレイ又は前記予約端末に送信する動画送信手順と、前記操作手段の操作に対応して前記カラオケ装置の制御処理を行うための制御指令を、前記通信手段を介し前記カラオケ装置に送信する指令送信手順と、を実行させる。
【発明の効果】
【００２２】
本発明によれば、再生するカラオケ楽曲が背景分離禁止曲であっても、ユーザが所望する動画を表示させて楽しむことができる。
【図面の簡単な説明】
【００２３】
【図１】本発明の第１実施形態に係わるカラオケシステムの概略構成を表す図である。
【図２】カラオケ装置の制御系を表す機能ブロック図である。
【図３】背景分離許容曲の再生時の表示態様の変化を表す説明図である。
【図４】背景分離禁止曲の再生時の表示態様の変化を表す説明図である。
【図５】背景分離禁止曲の再生時の動画表示の別の例を表す説明図である。
【図６】操作端末、カラオケ装置、メインディスプレイ、サブディスプレイ、及びリモコンが協働して実行する処理の流れを表すシーケンス図である。
【図７】操作端末に表示される、動画表示先の選択画面を表す説明図である。
【図８】本発明の第２実施形態における、操作端末、カラオケ装置、メインディスプレイ、サブディスプレイ、及びリモコンが協働して実行する処理の流れを表すシーケンス図である。
【図９】リモコン装置における予約画面を表す説明図である。
【図１０】リモコン装置に表示される、動画表示先を選択するためのウィンドウを表す説明図である。
【発明を実施するための形態】
【００２４】
以下、本発明の実施の形態について、図面を参照しつつ説明する。
【００２５】
本発明の第１実施形態を図１〜図７により説明する。
【００２６】
＜概略構成＞
図１に示すように、本実施形態のカラオケシステム１は、カラオケ装置１０と、メインディスプレイ１６Ａと、サブディスプレイ１６Ｂと、リモコン装置６０（予約端末に相当）と、例えばスマートフォンなどの携帯電話機やタブレット端末やＰＣ等からなる操作端末３０と、を有しており、この例では、カラオケ店舗の部屋Ｒに設けられている。カラオケ装置１０と操作端末３０とは例えば無線ＬＡＮなどの無線通信を介し接続されており、カラオケ装置１０とリモコン装置６０とは例えば赤外線通信（但し無線ＬＡＮなどの無線通信であってもよい）を介し接続されており、互いに各種の情報やデータを送受する。
【００２７】
＜制御系＞
次に、図２を用いてカラオケ装置１０の制御系の主要構成について説明する。カラオケ装置１０は、装置筺体１１に、有線ＬＡＮ回線１２を接続する通信端子１３と、アンプ１４の音声入力端子と接続される音声出力端子１５と、上記メインディスプレイ１６Ａと接続される映像出力端子１７ａ（例えばＨＤＭＩ（登録商標））信号出力やアナログビデオ信号出力）と、サブディスプレイ１６Ｂと通信を行なう通信端子１７ｂと、を備えている。通信端子１７ｂとサブディスプレイ１６Ｂとの通信は有線ＬＡＮで行われ、映像制御回路３１は、有線ＬＡＮ制御部２６相当の機能を有し、映像制御部３１からの映像信号が通信端子１７ｂを介しサブディスプレイ１６Ｂへ有線ＬＡＮを介して出力される。
但し、サブディスプレイ１６Ｂとの通信は無線ＬＡＮによって行われる場合もある。この場合は、映像制御回路３１からの信号は、無線ＬＡＮ制御部３３とアンテナ３２を介した無線ＬＡＮ接続によって、サブディスプレイ１６Ｂへと出力される。
なお、サブディスプレイ１６Ｂは、タブレットコンピュータなどが考えられ、図６、図８（後述）で示す「サブディスプレイ」の処理シーケンスを実行するＣＰＵ（制御手段に相当。図示せず）と、ＲＯＭ、ＲＡＭ、ＥＥＰＲＯＭなどの記憶手段と、カラオケ装置１０や操作端末３０から取得した動画データを表示する表示手段と、上記有線ＬＡＮや無線ＬＡＮの通信インタフェースと、を有している。
操作端末３０も、上記同様に、図６、図８（後述）で示す「操作端末」の処理シーケンスを実行するＣＰＵ（制御手段に相当。図示せず）と、ＲＯＭ、ＲＡＭ、ＥＥＰＲＯＭなどの記憶手段（図示せず）と、動画再生リクエストを受け付けるユーザ入力手段と、カラオケ装置１０、及びサブディスプレイ１６Ｂと通信を行なう通信インタフェースと、を備えている。
【００２８】
アンプ１４は、マイクロフォン１８（図１も参照）から入力される音声信号及び曲の再生信号のミキシングを行うミキシング回路（ＭＩＸ回路）１９を備え、音声と曲との音量バランス、エコー調整、デレィ調整、ミキシング信号の増幅、再生される曲の音程制御、高音、低音の制御などを行う。このアンプ１４から出力される増幅信号は、音としてスピーカ２０から発音される。
【００２９】
また、カラオケ装置１０には、制御プログラムにしたがって各種制御を実行するＣＰＵ２１が設けられている。ＣＰＵ２１には、リモコン装置６０や操作端末３０から送信される各種情報・データなどを一時保存するためのＲＡＭ２２と、ＣＰＵ２１により実行されるプログラム及び必要なデータテーブルなどが記憶されたＲＯＭ２３とが接続されている。また、ＣＰＵ２１には、メインディスプレイ１６Ａ及びサブディスプレイ１６に（さらには必要に応じてリモコン装置６０に；詳細は後述）歌詞テロップや各種メッセージ映像を表示するための文字映像データが記憶されたビデオＲＡＭ２４と、外部のサーバ２５から送信される楽曲データ、歌詞データ、及び映像データなどの各種データを通信端子１３及び有線ＬＡＮ回線１２を介して受信するための有線ＬＡＮ制御部２６と、この有線ＬＡＮ制御部２６により受信される楽曲データ及び動画データ等を保存するためのＨＤＤ２７とが接続されている。ＨＤＤ２７には、背景映像を示す背景映像データも保存（記憶）されている。
【００３０】
さらに、ＣＰＵ２１には、ＨＤＤ２７から読み出された曲データに含まれるＭＩＤＩデータを入力するとともに、その入力されたＭＩＤＩデータにより指定される音源から音源信号を出力するＭＩＤＩ音源ボード２８が接続されている。また、ＣＰＵ２１には、上記出力された音源信号を入力してアンプ１４により増幅可能な信号に変換する音声制御回路２９が接続されている。なお、上記ＭＩＤＩ音源接続ボード２８、音声制御回路２９、ミキシング回路１９、スピーカ２０は、上記カラオケ装置１０の一部分を構成しており、各請求項記載の楽曲再生手段として機能する。
【００３１】
また、ＣＰＵ２１には、サーバ２５から受信した上記動画データ等を映像出力端子１７ａ及び映像出力アンテナ１７ｂを介してメインディスプレイ１６Ａ及びサブディスプレイ１６Ｂに表示するための映像制御を行う映像制御回路３１が接続されている。すなわち、この例では、映像出力端子１７ａとメインディスプレイ１６Ａとが適宜のケーブルＣで接続されており、映像出力アンテナ１７ｂとサブディスプレイ１６Ｂとが例えば無線ＬＡＮなどの無線通信を介し接続されている。
【００３２】
さらに、ＣＰＵ２１には、カラオケ装置１０の装置筺体１１に設けられたアンテナ３２（図１も参照）を介して上記操作端末３０の上記通信インタフェース（通信手段に相当。図示省略）と無線通信により情報送受するための無線ＬＡＮ制御部３３が接続されている。この無線ＬＡＮ制御部３３には、送信部３３ａと受信部３３ｂが備えられている。なお、上述したように、必要に応じて、上記映像制御回路３１が、この無線ＬＡＮ制御部３３を介し、リモコン装置６０に表示させる映像制御を行う。
【００３３】
なお、本実施形態では、アンテナ３２及び無線ＬＡＮ制御部３３は、装置筐体１１に内蔵されている。他の無線通信の形態としては、アンテナ３２及び無線ＬＡＮ制御部３３を、無線ＬＡＮのアクセスポイントとして装置筐体１１の外部に設置し、カラオケ装置１０側に有線ＬＡＮインタフェースを設け、上記アクセスポイントとカラオケ装置１０とを有線ＬＡＮで接続することで、操作端末３０やサブディスプレイ１６Ｂとカラオケ装置１０との無線通信を、アクセスポイントを介した無線ＬＡＮ通信を行う場合もある。更に、リモコン装置６０とカラオケ装置１０との無線通信も上記アクセスポイントを介した無線ＬＡＮ通信で行う場合もある。
【００３４】
また、ＣＰＵ２１には、カラオケ装置１０の筺体に設けられた各種ボタン・キー３４（テンキー、選曲ボタン等）を押したときに点灯するＬＥＤ３５へ表示信号を出力する表示回路３６と、上記各種ボタン、キー３４を押したときに発生するスイッチング信号を入力する入力回路３７とが接続されている。
【００３５】
さらに、ＣＰＵ２１には、カラオケ装置１０の装置筺体１１に設けられた受光部３８を介して上記リモコン装置６０の通信制御部（図示省略）と赤外通信により情報受信するための変換回路３９が接続されている。なお、リモコン装置６０は、カラオケシステム１における専用の機器として構成してもよいが、同等の機能構成を有するスマートフォン等の携帯端末を利用してもよい。この場合には、あらかじめ当該携帯端末にリモコン装置６０と同等の機能を実現するアプリケーションプログラムをインストールしておく必要がある。
【００３６】
＜動画表示サービス＞
上記構成のカラオケシステム１において、カラオケ装置１０によりカラオケ楽曲が再生されると、それに連動して対応する背景映像及び歌詞が上記メインディスプレイ１６Ａに表示され、ユーザは当該表示を見ながらマイクロフォン１８を用いて歌唱を楽しむことができる。このとき、本実施形態では、上記携帯端末３０に予め記憶されたユーザの所望の動画をカラオケ装置１０に送信し、上記カラオケ楽曲の再生時に、上記背景映像に代えて、その送信した動画をメインディスプレイ１６Ａに表示させることができる。
【００３７】
しかしながら、送信しようとするタイミングによっては、たまたまメインディスプレイ１６Ａ側において上記動画を再生不可能な状態である場合がある。すなわち、カラオケ装置１０において再生される多数のカラオケ楽曲の中には、事前の取り決めにより、カラオケ楽曲の再生と対応する背景映像の表示とが予め一体不可分に連動しているもの（すなわち背景映像の表示をカラオケ楽曲の再生と分離して行うことができないもの）が含まれる場合がある。このような背景分離禁止曲の場合には、せっかくユーザが上記動画をカラオケ装置１０に送信したとしても、そのままでは当該動画を表示させることができず、不便である。
【００３８】
＜本実施形態の動画表示手法＞
そこで、本実施形態では、上記背景分離禁止曲が再生されている場合には、通常とは異なる表示制御手法により、背景分離禁止曲に対し一体不可分とされている背景映像の表示は維持しつつ、上記ユーザから送信された動画の表示も併せて行う。以下、その手法の詳細図３〜図５を用いて説明する。
【００３９】
＜背景分離許容曲の場合の表示＞
まず、上記背景分離禁止曲とは異なり、楽曲の再生と対応する背景映像の表示とが分離可能であって当該背景映像と異なる映像を再生可能であるカラオケ楽曲（以下適宜、「背景分離許容曲」と称する）の場合の表示態様を図３により説明する。
【００４０】
例えば図３（ａ）に、上記背景分離許容曲の再生時における上記メインディスプレイ１６Ａの表示例を示す。この例では、メインディスプレイ１６Ａに、上記背景分離許容曲に対応づけられた背景映像Ｍ１（家族連れのドライブ風景）が、「道路は続くよ  どこまでも  ランランラン」の歌詞Ｌ１とともに表示されている。このような表示中に、例えば上記操作端末３０からユーザの所望の動画Ｄ１を転送すると、図３（ｂ）に示すように、上記メインディスプレイ１６Ａにおいて、上記背景映像Ｍ１に差し代わる形で、上記動画Ｄ１が上記歌詞Ｌ１とともに表示される。
【００４１】
＜背景分離禁止曲の場合の表示＞
次に、図４（ａ）に、上記背景分離禁止曲の再生時における上記メインディスプレイ１６Ａの表示例を示す。この例では、メインディスプレイ１６Ａに、上記背景分離禁止曲に対応づけられた背景映像Ｍ２（男性ミュージシャンのライブでの歌唱風景）が、「忘れて  君の涙は  もう見たくない」の歌詞とともに表示される（図示の煩雑防止のために歌詞は図示省略）。このような表示中に、例えば上記操作端末３０からユーザの所望の動画Ｄ１を転送すると、（上記図３の例とは異なり）背景分離禁止曲であることに対応して、図４（ｂ）に示すように、上記メインディスプレイ１６Ａに表示された背景映像Ｍ２はそのまま維持しつつ、サブディスプレイ１６Ｂに上記動画Ｄ１が表示される。
【００４２】
＜他の表示態様＞
なお、上記ではサブディスプレイ１６Ｂに動画Ｄ１を表示したが、これに限られない。すなわち、ユーザの選択（後述）に応じて、図５に示すように、メインディスプレイ１６Ａに表示された背景映像Ｍ２はそのまま維持しつつ、上記リモコン装置６０の適宜の表示領域（例えば、後述の図９に示す予約画面６１Ａ中の適宜の領域や当該予約画面６１Ａへの割り込みウィンドウ等。端末ディスプレイに相当）に上記動画Ｄ１を表示することもできる。
【００４３】
＜処理の流れの詳細＞
上記の手法を実現するために、上記操作端末３０、カラオケ装置１０、メインディスプレイ１６Ａ、サブディスプレイ１６Ｂ、及びリモコン装置６０が協働して実行する処理の流れを、図６のシーケンス図に示す。なお、図示のシーケンスは、操作端末３０に備えられた上記ＲＯＭ・ＲＡＭ・ＥＥＰＲＯＭ等に記憶された制御プログラム（動画表示制御プログラム）が操作端末３０の上記ＣＰＵで実行され、カラオケ装置１０の上記ＲＯＭ２３に記憶された制御プログラムが上記ＣＰＵ２１で実行され、さらにリモコン装置６０に備えられたＲＯＭ・ＲＡＭ・ＥＥＰＲＯＭ等（図示省略）に記憶された制御プログラムがリモコン装置６０のＣＰＵ（図示省略）で実行されることによって、行われる。
【００４４】
図６において、まずステップＳＢ１でカラオケ装置１０において（既に予約済みであった）カラオケ楽曲の再生が開始されると、これに連動してステップＳＣ１においてメインディスプレイ１６Ａにおいて対応する背景映像（上記の例では背景映像Ｍ１又はＭ２）の表示が開始される。
【００４５】
この再生・表示中に、ユーザが、上記操作端末３０に備えられた適宜の操作手段（操作ボタン又は表示部３１に表示された画面上のボタン等。後述のボタン３１ａ〜ｃも参照）を操作することにより、操作端末３０の上記ＥＥＰＲＯＭ等に記憶した所望の動画（上記の例では動画Ｄ１）の再生を希望するリクエスト（再生要求に相当）をカラオケ装置１０に送信する（ステップＳＡ１）。この手順が各請求項記載のアドレス送信手順に相当する。なお、このリクエストには、当該操作端末３０のアドレス情報（例えば、操作端末３０のＩＰアドレス、及び、上記動画の操作端末内の格納箇所を表すパス）が含まれている。上記リクエストは、カラオケ装置１０（詳細には上記ＣＰＵ２１。以下同様）によって受け付けられる。この手順が各請求項記載のアドレス受付手順に相当し、この手順を実行するＣＰＵ２１がアドレス受付手段として機能する。
【００４６】
その後、再生中のカラオケ楽曲が上記背景分離禁止曲であるか、上記背景分離許容曲であるか否かが、カラオケ装置１０によって判定される（ステップＳＢ２）。各カラオケ楽曲が上記２つのいずれに該当するかは、予め決定され、カラオケ装置１０の適宜の箇所に記憶されている。なお、このステップＳＢ２が各請求項記載の判定手順に相当し、この手順を実行するＣＰＵ２１が判定手段として機能する。
【００４７】
再生中のカラオケ楽曲が前述したような背景分離禁止曲であった場合は、ステップＳＢ２の判定が満たされ、カラオケ装置１０から操作端末３０へ、「背景分離禁止曲の再生中である」旨の通知が出力される（ステップＳＢ３）。その後、前述のようにして動画の表示を行うための準備処理として、上記リモコン装置６０に対し（当該カラオケ装置１０と）正しく接続されている状態であるかの問い合わせが行われ、その回答が受信される（ステップＳＢ４）。同様に、上記サブディスプレイ１６Ｂに対し（当該カラオケ装置１０と）正しく接続されている状態であるかの問い合わせが行われ、その回答が受信される（ステップＳＢ５）。これにより、例えばリモコン装置６０の上記表示領域やサブディスプレイ１６Ｂが後に送信されてくる動画の表示先として使用できるか否かの確認（言い換えれば動画の表示先としてどこが使用できるかの特定）が行われる。これらステップＳＢ４，ＳＢ５を実行するＣＰＵ２１が各請求項記載の特定手段として機能する。これらの問い合わせ結果は集計されて、カラオケ装置１０から操作端末３０へと送信される（ステップＳＢ７）。
【００４８】
なお、上記のカラオケ装置１０から、サブディスプレイ１６Ｂへの接続の問い合わせと回答（ステップＳＢ５）は、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）で接続されていれば、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）の取得や、ＨＤＭＩ（登録商標）で規定されるＣＥＣコマンドにより、サブディスプレイ１６Ｂが操作端末３０からの動画の表示先として使用できるか確認すればよい。
また、リモコン装置６０がＬＡＮ（有線、又は無線ＬＡＮ）によってカラオケ装置１０と接続されているのであれば、ステップＳＢ４は、リモコン装置６０を識別する情報（ＩＰアドレス、ＭＡＣアドレスや製造番号など）の問い合わせと回答により、リモコン装置６０の表示領域の種類を特定し、操作端末３０からの動画の表示先として使用できるかを確認すればよい。
【００４９】
操作端末３０は、上記送信されてきた上記問い合わせ結果に基づき、その問い合わせ結果において動画表示可能となっている（正しくカラオケ装置１０と接続されている）ものを選択可能に一覧表示する（ステップＳＡ２）。図７に、操作端末３０の表示部３１（表示手段に相当）において表示されたユーザ選択画面３１Ａを示す。このユーザ選択画面３１Ａの例では、上記サブディスプレイ１６Ｂへの問い合わせ（上記ステップＳＢ５参照）、上記リモコン装置６０への問い合わせ（上記ステップＳＢ４参照）、において、それらすべてが「動画表示可能」との回答を送信してきた場合に対応している。すなわち、上記動画の表示先候補を表す、「サブディスプレイ」ボタン３１ｂと、「リモコン」ボタン３１ｃと、の３つのボタンが、「現在、背景分離禁止曲の再生中です。動画をどこで表示しますか？」のメッセージ３１ｄとともに、表示されている。
【００５０】
図６に戻り、ユーザが動画をどこに表示させたいかに対応して、上記ボタン３１ｂ，３１ｃのいずれか１つを選択して操作すると、その操作選択結果が、カラオケ装置１０へと送信され、カラオケ装置１０により受け付けられる（ステップＳＡ３）。なお、この手順を実行するＣＰＵ２１が各請求項記載の選択受付手段として機能する。
【００５１】
その後、上記ステップＳＡ３で受け付けた選択結果でユーザが「サブディスプレイ」ボタン３１ｂを選択操作していた場合は、カラオケ装置１０において、ステップＳＢ１０の判定が満たされる（ＳＢ１０：Ｙｅｓ）。これに応じて、上記ステップＳＡ１で受信した上記アドレス情報（操作端末３０のＩＰアドレス及び動画のパスを含む）が、カラオケ装置１０からサブディスプレイ１６Ｂへと送信される（ステップＳＢ１１）。そして、サブディスプレイ１６Ｂが、上記ステップＳＢ１１で取得した上記アドレス情報を用いて動画取得要求を操作端末３０へと送信し、この動画取得要求が操作端末において受信される（ステップＳＤ１）。なお、この手順が各請求項記載の要求受信手順に相当する。そして、これに応じて、操作端末３０に記憶されていた所望の動画データ（動画Ｄ１）が、操作端末３０から（カラオケ装置１０を介すことなく）サブディスプレイ１６Ｂへと送信される（ステップＳＡ５）。なお、この手順が各請求項記載の動画送信手順に相当する。この結果、サブディスプレイ１６Ｂにおいて、上記動画（前述の例では動画Ｄ１。図４（ｂ）参照）の表示が開始される（ステップＳＤ１）。なおこのとき、メインディスプレイ１６Ａでは、上記ステップＳＣ１で開始されている背景分離禁止曲に対応した背景映像（上記の例では背景映像Ｍ２）の表示が引き続き行われることとなる。
【００５２】
さらに、上記ステップＳＡ３で受け付けた選択結果でユーザが「リモコン」ボタン３１ｃを選択操作していた場合は、カラオケ装置１０において、ステップＳＢ１０の判定が満たされずにステップＳＢ１２の判定が満たされる（ＳＢ１２：Ｙｅｓ）。これに応じて、上記ステップＳＡ１で受信した上記アドレス情報（上記ＩＰアドレス及び上記パスを含む）が、カラオケ装置１０からリモコン装置６０へと送信される（ステップＳＢ１３）。そして、リモコン装置６０が、上記ステップＳＢ１３で取得した上記アドレス情報を用いて動画取得要求を操作端末３０へと送信し、この動画取得要求が操作端末において受信される（ステップＳＥ１）。なお、この手順も各請求項記載の要求受信手順に相当する。そして、これに応じて、操作端末３０に記憶されていた所望の動画データ（動画Ｄ１）が、操作端末３０から（カラオケ装置１０を介すことなく）リモコン装置６０へと送信される（ステップＳＡ７）。なお、この手順も各請求項記載の動画送信手順に相当する。この結果、リモコン装置６０において、上記動画（前述の例では動画Ｄ１。図５参照）の表示が開始される（ステップＳＥ２）。なお上記同様、このとき、メインディスプレイ１６Ａでは、上記同様、上記ステップＳＣ１で開始されている背景分離禁止曲に対応した背景映像（上記の例では背景映像Ｍ２）の表示が引き続き行われることとなる。
【００５３】
一方、前述のステップＳＢ２において、再生中のカラオケ楽曲が上記背景分離禁止曲でなく上記背景分離許容曲であった場合は、ステップＳＢ２の判定が満たされず、（上記ステップＳＢ３，ＳＢ４，ＳＢ５，ＳＢ７，ＳＡ２，ＳＡ３，ＳＢ１０，ＳＢ１１，ＳＤ１，ＳＡ５，ＳＤ２，ＳＢ１２，ＳＢ１３，ＳＥ１，ＳＡ７，ＳＥ２等は実行されることなく）カラオケ装置１０が、上記ステップＳＡ１で取得した上記アドレス情報を用いて動画取得要求を操作端末３０へと送信し、この動画取得要求が操作端末において受信される（ステップＳＢ１４）。そして、これに応じて、操作端末３０に記憶されていた所望の動画データ（動画Ｄ１）が、操作端末３０からカラオケ装置１０へと送信され（ステップＳＡ８）、さらにカラオケ装置１０から上記ケーブルＣを介してメインディスプレイ１６Ａへ出力される（ステップＳＢ１５）。この結果、メインディスプレイ１６Ａは、この時点まで上記カラオケ楽曲の再生と共に表示していた背景分離許容曲の背景映像（前述の例では背景映像Ｍ１。図３（ａ）参照）の表示に代えて、動画（前述の例では動画Ｄ１。図３（ｂ）参照）の表示へと切り替える（ステップＳＣ３）。なお、上記ステップＳＢ２，ＳＢ１０，ＳＢ１１，ＳＢ１２，ＳＢ１３，ＳＢ１４，ＳＢ１５が、各請求項記載の制御手順に相当し、これらを実行するＣＰＵ２１が制御手段として機能する。
【００５４】
以上説明したように、この第１実施形態においては、カラオケ楽曲の再生中にユーザが所望の動画の再生リクエストを行うことで、上記再生中のカラオケ楽曲が背景分離禁止曲であるか背景分離許容曲であるかが判定される（ステップＳＢ２）。背景分離許容曲である場合には、その時点でメインディスプレイ１６Ａに表示されている背景映像Ｍ１に代え、取得されたユーザの所望の動画Ｄ１が表示される。
【００５５】
一方、上記背景分離禁止曲の場合には、既に表示されている背景映像Ｍ２を維持しつつ、サブディスプレイ１６Ｂ若しくはリモコン装置６０において、上記取得された動画Ｄ１が表示される。これにより、再生するカラオケ楽曲が背景分離許容曲であっても背景分離禁止曲であっても、ユーザは、自らが所望する動画Ｄ１を表示させて楽しむことができる。この結果、ユーザにとっての利便性を向上することができる。
【００５６】
このとき特に、上記背景分離禁止曲であった場合に、サブディスプレイ１６Ｂ又はリモコン装置６０が上記アドレス情報を用いて操作端末３０にアクセスし、直接操作端末３０から動画を取得する。これにより、操作端末３０からの動画をカラオケ装置１０がいったん受け取った後にさらにサブディスプレイ１６Ｂ又はリモコン装置６０に転送する場合に比べ、動画を送受するのに必要な通信時間を短くすることができる。この結果、動画表示において遅延が生じるのを抑制することができる。
【００５７】
また、本実施形態では特に、動画Ｄ１を表示できる表示先として、サブディスプレイ１６Ｂ、リモコン装置６０の上記表示領域、のいずれを使用できるかが特定される（ステップＳＢ４，ＳＢ５参照）。これにより、上記のようにしてユーザの所望の動画Ｄ１を表示させる際に、どの表示先が使用できるかを特定することができる。
【００５８】
また、本実施形態では特に、動画Ｄ１を表示する表示先を、ボタン操作によりユーザが選択可能である（図７、ステップＳＡ２参照）。これにより、上記のようにしてユーザの所望の動画Ｄ１を表示させる表示先の候補が複数あった場合に、どの表示先を使用するかをユーザが選択することができる。
【００５９】
次に、本発明の第２実施形態を、図８〜図１０により説明する。本実施形態は、上記第１実施形態にてカラオケ楽曲の再生中（すなわちカラオケ楽曲の再生開始後）にユーザの所望の動画の転送と表示先の選択とを行ったのに代え、カラオケ楽曲の予約時（すなわちカラオケ楽曲の再生開始前）に上記動画転送及び表示先選択を行う実施形態である。第１実施形態と同等の部分には同一の符号を付し、適宜、説明を省略又は簡略化する。
【００６０】
本実施形態において、上記操作端末３０、カラオケ装置１０、メインディスプレイ１６Ａ、サブディスプレイ１６Ｂ、及びリモコン装置６０が協働して実行する処理の流れを、上記図６に対応する図８のシーケンス図に示す。なお、図示のシーケンスは、上記第１実施形態と同様、操作端末３０に備えられたＲＯＭ・ＲＡＭ・ＥＥＰＲＯＭ等（図示省略）に記憶された制御プログラムが操作端末３０のＣＰＵ（図示省略）で実行され、カラオケ装置１０の上記ＲＯＭ２３に記憶された制御プログラムが上記ＣＰＵ２１で実行され、さらにリモコン装置６０に備えられたＲＯＭ・ＲＡＭ・ＥＥＰＲＯＭ等（図示省略）に記憶された制御プログラムがリモコン装置６０のＣＰＵ（図示省略）で実行されることによって、行われる。
【００６１】
図８において、まず、上記第１実施形態と同様のステップＳＡ１において、ユーザが、上記操作端末３０に備えられた適宜の操作手段を操作することにより、操作端末３０の上記ＥＥＰＲＯＭ等に記憶した所望の動画（上記の例では動画Ｄ１）の再生を希望するリクエスト（再生要求に相当）をカラオケ装置１０に送信する。上記同様、この手順が各請求項記載のアドレス送信手順に相当する。上記リクエストは、カラオケ装置１０によって受け付けられる。上記同様、この手順が各請求項記載のアドレス受付手順に相当し、この手順を実行するＣＰＵ２１がアドレス受付手段として機能する。
【００６２】
その後、上記図６と同様のステップＳＢ１４で、カラオケ装置１０が、上記ステップＳＡ１で取得した上記アドレス情報を用いて動画取得要求を操作端末３０へと送信し（ステップＳＢ１４）、これに応じて、操作端末３０に記憶されていた所望の動画データ（動画Ｄ１）がカラオケ装置１０へと送信され（ステップＳＡ８）、さらにメインディスプレイ１６Ａへ出力される（ステップＳＢ１５）。この結果、メインディスプレイ１６Ａは、この後のカラオケ楽曲の再生と共に表示する背景映像として、上記動画（前述の例では動画Ｄ１。図３（ｂ）参照）を表示するよう、セットされる（ステップＳＣ４′）。
【００６３】
このとき、リモコン装置６０において、操作者による適宜の操作によりカラオケ楽曲の検索及び選曲が行われ、予約操作がなされる（ステップＳＥ３）。図９に、リモコン装置６０の表示部６１において表示された予約画面６１Ａを示す。この予約画面６１Ａの例では、「君を感じて／桝田博」「瑠璃色の街／高坂誠」「忘れて〜君の涙は見たくない〜／山村登」「夢をふたりで／芦野牧子」の４曲が、選択可能なボタン６１ａ，６１ｂ，６１ｃ，６１ｄとして一覧表示され、またそれらの右下には選択後の予約操作用の「送信して予約」ボタン６１ｅが設けられている。例えば上記ボタン６１ａ，６１ｂ，６１ｃ，６１ｄのいずれかを操作して１曲を選択状態にした後、ボタン６１ｅを操作することで、当該選択曲の予約操作がなされる。
【００６４】
図８に戻り、このようにして行われた予約内容が、カラオケ装置１０へと送信され、受け付けられる（ステップＳＥ４）。
【００６５】
その後、リモコン装置６０から、前述のサブディスプレイ１６Ｂ、リモコン装置６０への接続確認（接続情報の取得）を依頼するための接続情報リクエストが、カラオケ装置１０へと送信され、受け付けられる（ステップＳＥ５）。
【００６６】
上記の後、カラオケ装置１０において、上記図６と同様のステップＳＢ２において、選曲されたカラオケ楽曲が上記背景分離禁止曲であるか、上記背景分離許容曲であるか否かが、判定される。
【００６７】
予約されたカラオケ楽曲が前述したような背景分離禁止曲であった場合は、ステップＳＢ２の判定が満たされ、上記図６と同様のステップＳＢ４，ＳＢ５において、上記リモコン装置６０、上記サブディスプレイ１６Ｂに対し（当該カラオケ装置１０と）正しく接続されている状態であるかの問い合わせが行われ、その回答が受信される。
【００６８】
その後、上記図６のステップＳＢ７と同様、上記ステップＳＢ４，ＳＢ５の問い合わせ結果が集計されて、カラオケ装置１０からリモコン装置６０へと送信される（ステップＳＢ７′）。リモコン装置６０は、上記送信されてきた上記問い合わせ結果に基づき、その問い合わせ結果において動画表示可能となっている（正しくカラオケ装置１０と接続されている）ものを、割り込みウィンドウＷ（後述の図１０参照）の形で選択可能に一覧表示する（ステップＳＥ６）。
【００６９】
図１０に、リモコン装置６０の上記表示部６１の上記予約画面６１Ａに割り込み表示された上記ウィンドウＷを示す。この例では、前述の図９の予約画面６１Ａで選択された「忘れて〜君の涙は見たくない〜／山村登」の曲が上記背景分離禁止曲であった場合を示しており、上記サブディスプレイ１６Ｂ、上記リモコン装置６０への問い合わせにおいて、それらすべてが「動画表示可能」との回答している。すなわち、ウィンドウＷ中に、上記動画の表示先候補を表す、「サブディスプレイ」ボタン６１Ｂと、「リモコン」ボタン６１Ｃと、の２つのボタンが、「この曲は、背景分離禁止曲です。動画をどこで表示しますか？」のメッセージ６１Ｄとともに、表示されている。
【００７０】
図８に戻り、ユーザが動画をどこに表示させたいかに対応して、上記ボタン６１Ｂ，６１Ｃのいずれか１つを選択して操作すると、その操作選択結果が、カラオケ装置１０へと送信され、カラオケ装置１０により受け付けられる（ステップＳＥ７）。
【００７１】
その後、カラオケ装置１０から、メインディスプレイ１６Ａに対し、背景映像セット通知（背景映像自体のデータも含む）が送信される（ステップＳＢ１６）。この結果、メインディスプレイ１６Ａは、前述のステップＳＣ４′でセットされていた上記動画Ｄ１のみの表示設定をクリアし、それに代えて、背景映像（前述の例では背景映像Ｍ２。図５参照）を行うよう、セット替えされる（ステップＳＣ１′）。
【００７２】
その後、上記ステップＳＥ７で受け付けた選択結果でユーザが「サブディスプレイ」ボタン６１Ｂを選択操作していた場合は、上記図６と同様のステップＳＢ１０の判定が満たされ（ＳＢ１０：Ｙｅｓ）、同様のステップＳＢ１１，ＳＤ１を経て、上記ステップＳＡ５で動画データ（動画Ｄ１）が、サブディスプレイ１６Ｂへと送信される。この結果、サブディスプレイ１６Ｂにおいて、上記動画（前述の例では動画Ｄ１。図４（ｂ）参照）の表示が行われるよう、セットされる（ステップＳＤ２′）。なお、このセット後は、セット完了報告が、サブディスプレイ１６Ｂから送信され、カラオケ装置１０において受信される（ステップＳＤ３）。この手順を実行するサブディスプレイ１６Ｂが各請求項記載の通知制御手段として機能する。
【００７３】
また、上記ステップＳＥ７で受け付けた選択結果でユーザが「リモコン」ボタン６１Ｃを選択操作していた場合は、上記図６と同様のステップＳＢ１２の判定が満たされ（ＳＢ１２：Ｙｅｓ）、同様のステップＳＢ１３，ＳＥ１を経て、上記ステップＳＡ７で動画データ（動画Ｄ１）が、リモコン装置６０へと送信される。この結果、リモコン装置６０において、上記動画（前述の例では動画Ｄ１。図５参照）の表示が行われるよう、セットされる（ステップＳＥ２′）。なお、このセット後は、セット完了報告が、リモコン装置６０から送信され、カラオケ装置１０において受信される（ステップＳＥ８）。この手順を実行するリモコン装置６０のＣＰＵも各請求項記載の通知制御手段として機能する。
【００７４】
なお、上記ステップＳＢ１２の判定も満たされない場合（すなわち上記ステップＳＥ７で受け付けた選択結果でユーザが「サブディスプレイ」ボタン６１Ｂ、「リモコン」ボタン６１Ｃのいずれも選択操作していない場合は、ステップＳＢ１２の判定が満たされずステップＳＢ７′に戻り、いずれかのボタンを操作するまで、ステップＳＢ７′→ステップＳＥ７→ステップＳＢ１６→ステップＳＢ１０→ステップＳＢ１２→・・が繰り返される（すなわち後述するカラオケ楽曲再生が始まらない）こととなる。また、図示を省略しているが、ステップＳＢ１０の判定が満たされてステップＳＢ１１，ＳＤ１，ＳＡ５，ＳＤ３が実行された場合には、ステップＳＢ１２はスキップされ、そのままステップＳＢ１が実行される。
【００７５】
一方、前述のステップＳＢ２において、予約されたカラオケ楽曲が上記背景分離禁止曲でなく上記背景分離許容曲であった場合は、ステップＳＢ２の判定が満たされず、（上記ステップＳＢ４，ＳＢ５，ＳＢ７′，ＳＥ７，ＳＢ１６，ＳＢ１０，ＳＢ１１，ＳＤ１，ＳＡ５，ＳＤ３，ＳＢ１２，ＳＢ１３，ＳＥ１，ＳＡ７，ＳＥ８等を経ることなく）、上記ステップＳＣ４′でのメインディスプレイ１６Ａでの動画Ｄ１の表示のセットのままとなる。
【００７６】
以上のようにして、メインディスプレイ１６Ａ（及び、ユーザ選択に応じサブディスプレイ１６Ｂ又はリモコン１６Ｃのいずれか）の表示設定が終了した状態で、カラオケ装置１０において、図６と同様のステップＳＢ１において、カラオケ楽曲の再生が開始されると、これに連動してステップＳＭ１においてメインディスプレイ１６Ａ（及び、ユーザ選択に応じサブディスプレイ１６Ｂ又はリモコン１６Ｃのいずれか）において、この時点で設定済みの映像の表示が開始される。
【００７７】
以上のように構成したこの第２実施形態においても、前述の第１実施形態と同様の効果を得る。すなわち、リモコン装置６０においてユーザがカラオケ楽曲の予約を行ったとき、当該カラオケ楽曲が背景分離禁止曲であるか背景分離許容曲であるかが判定される（ステップＳＢ２）。背景分離許容曲である場合には、カラオケ楽曲の再生開始時に、取得されたユーザの所望の動画Ｄ１が表示されるよう、セットが行われる（ステップＳＣ４′）。
【００７８】
一方、上記背景分離禁止曲の場合には、既に表示されている背景映像Ｍ２を維持しつつ、サブディスプレイ１６Ｂ若しくはリモコン装置６０の上記表示領域において、上記取得された動画Ｄ１が表示されるよう、セットがなされる（ステップＳＣ１′，ＳＤ２′，ＳＥ２′）。これにより、上記第１実施形態と同様、再生するカラオケ楽曲が背景分離許容曲であっても背景分離禁止曲であっても、ユーザは、自らが所望する動画Ｄ１を表示させて楽しむことができる。この結果、ユーザにとっての利便性を向上することができる。
【００７９】
また、本実施形態においても、上記第１実施形態と同様、上記背景分離禁止曲であった場合に、サブディスプレイ１６Ｂ又はリモコン装置６０が上記アドレス情報を用いて操作端末３０にアクセスし、直接操作端末３０から動画を取得する。これにより、動画を送受するのに必要な通信時間を短くすることができる。この結果、動画表示において遅延が生じるのを抑制することができる。
【００８０】
また、本実施形態では特に、サブディスプレイ１６Ｂ又はリモコン装置６０は、上記背景分離禁止曲であった場合に、操作端末３０から動画データ（動画Ｄ１）を取得した後、その取得した旨をカラオケ装置１０に通知する（ステップＳＤ３，ＳＥ８参照）。これにより、カラオケ楽曲の再生前に（言い替えればカラオケ楽曲の予約完了後に）操作端末３０のアドレス情報が受け付けられ、そのアドレス情報を用いてサブディスプレイ１６Ａ又はリモコン装置６０による動画データ（動画Ｄ１）の取得が完了したとき、その旨がカラオケ装置１０に通知される。この結果、サブディスプレイ１６Ａ又はリモコン装置６０による動画の再生と連携して、カラオケ装置１０におけるカラオケ楽曲の再生を開始することができる（ステップＳＢ１参照）。
【００８１】
また、本実施形態においても、上記第１実施形態と同様、上記のようにしてユーザの所望の動画を表示させる際に、どの表示先が使用できるかを特定することができる。
【００８２】
また、本実施形態においても、上記第１実施形態と同様、ユーザの所望の動画を表示させる表示先の候補が複数あった場合に、どの表示先を使用するかをユーザが選択することができる。特に、その選択をしない限り、背景分離禁止曲であるカラオケ楽曲を再生できないようにすることができる（ステップＳＢ１２参照）。
【００８３】
なお、本発明は、上記２つの実施形態に限られるものではなく、その趣旨及び技術的思想を逸脱しない範囲内で種々の変形が可能である。以下、そのような変形例を順を追って説明する。
【００８４】
（１）操作端末でカラオケ装置の制御処理を行う場合
以上においては、操作端末３０に設けられた上記操作手段を適宜に操作することにより、カラオケ装置１０に対し、動画（上記の例では動画Ｄ１）の再生を希望するリクエストを送信可能であった。しかしながら、このリクエスト送信機能に限られず、操作端末３０側からカラオケ装置１０に対する制御処理（カラオケ楽曲の再生時における早送り、巻き戻し、拍手、ピッチコントロール、テンポコントロール、再生中断等のトリックプレイ操作や、その他の操作系処理を含む）を行えるようにしてもよい。この場合、上記操作手段を介した操作に対応した制御指令が生成され、その制御指令が上記通信制御部を介しカラオケ装置１０に送信される（各請求項記載の指令送信手順に相当）ことで、上記トリックプレイ操作が実行される。
また、操作端末３０（例えばいわゆるスマートフォン）から背景付き楽曲予約をした際に、それを開始時に背景分離禁止状態であった場合（カラオケ装置１０は自身の楽曲を制御するから、予約時には背景分離禁止曲かどうかは判る）は、サブディスプレイ１６Ｂが動画Ｄ１を取得した確認の回答を受信まで、カラオケ装置１０は、再生を開始せずに待機状態とし、動画Ｄ１を取得した確認後に、再生を開始してもよい。
この場合は、動画Ｄ１の再生と楽曲の演奏の開始ズレを小さくすることができる。
【００８５】
（２）メインディスプレイで動画再生不可能となる他の場合
以上においては、メインディスプレイ１６Ａが動画再生不可能な状態である一例として、カラオケ装置１０で再生されるカラオケ楽曲が背景分離禁止曲であった場合を例にとって説明したが、これに限られない。すなわち、メインディスプレイ１６Ａにおいて各種設定画面を表示中であった場合や、あるいは、ギタナビ・モデル採点ムービー等、背景映像を使用するアプリケーションが実行されていた場合等もある。これらの場合においても、上記の手法を適用することにより、同様の効果を得る。
【００８６】
（３）その他
なお、以上において、図６、図８等に示すシーケンスは本発明を図示の手順に限定するものではなく、発明の趣旨及び技術的思想を逸脱しない範囲内で手順の追加・削除又は順番の変更等をしてもよい。
【００８７】
また、以上既に述べた以外にも、上記実施形態や各変形例による手法を適宜組み合わせて利用しても良い。
【００８８】
その他、一々例示はしないが、本発明は、その趣旨を逸脱しない範囲内において、種々の変更が加えられて実施されるものである。
【符号の説明】
【００８９】
１                カラオケシステム
１０              カラオケ装置
１６Ａ            メインディスプレイ
１６Ｂ            サブディスプレイ
１９              ミキシング回路（楽曲再生手段）
２０              スピーカ（楽曲再生手段）
２１              ＣＰＵ
２８              ＭＩＤＩ音源接続ボード（楽曲再生手段）
２９              音声制御回路（楽曲再生手段）
３０              操作端末
６０              リモコン装置（予約端末）
Ｄ１              動画
Ｍ１              背景映像
Ｍ２              背景映像
【図１】
0006562302.tif 000002
【図２】
0006562302.tif 000003
【図３】
0006562302.tif 000004
【図４】
0006562302.tif 000005
【図５】
0006562302.tif 000006
【図６】
0006562302.tif 000007
【図７】
0006562302.tif 000008
【図８】
0006562302.tif 000009
【図９】
0006562302.tif 000010
【図１０】
0006562302.tif 000011